(57)【要約】【課題】適切に寿命判定を行って安全に確実に停止状態を実現させる。【解決手段】交流電圧を整流及び平滑化する整流平滑回路１０と；  整流平滑回路の出力を光源に与える電圧に変換して光源を点灯させる点灯回路２０と；光源の異常を検出する光源異常検出手段と；光源異常検出手段が異常を検出したときに異常回数を記憶する記憶手段を有し、この記憶手段に記憶することで点灯回路の安全動作を開始すると共に、記憶手段に記憶された異常回数が所定値を超えた場合の安全動作として始動を行わせることなく、停止ロックさせる制御手段とを具備する。【選択図】図２
2010010004.tif 000002
【特許請求の範囲】
【請求項１】
交流電圧を整流及び平滑化する整流平滑回路と；
整流平滑回路の出力を変換して光源を点灯させる点灯回路と；
光源の異常を検出する光源異常検出手段と；
光源異常検出手段が異常を検出したときに異常回数を記憶する記憶手段を有し、この記憶手段に記憶することで点灯回路の安全動作を開始すると共に、記憶手段に記憶された異常回数が所定値を超えた場合の安全動作として始動を行わせることなく、停止ロックさせる制御手段と
を具備することを特徴とする光源一体型照明器具に用いる点灯装置。
【請求項２】
整流平滑回路と点灯回路の少なくとも一方には、過電流により短絡または開放となる回路素子が備えられ、
制御手段は、上記回路素子に過電流を流す制御を行うことにより停止ロックを実行することを特徴とする請求項１に記載の光源一体型照明器具に用いる点灯装置。
【請求項３】
点灯回路には、光源を駆動する電力を得るためのスイッチング素子と、このスイッチング素子に共振電流を流す共振回路とが具備され、
制御手段は、上記共振回路を共振駆動する制御を行うことにより停止ロックを実行することを特徴とする請求項１または２に記載の光源一体型照明器具に用いる点灯装置。
【請求項４】
点灯回路の整流平滑回路には、平滑電圧制御のためのスイッチング素子または電力制御のためのスイッチング素子が備えられ、
制御手段は、上記電力制御の際にスイッチング素子が破壊する程度にオンデューティを大きくする制御を行うことにより停止ロックを実行することを特徴とする請求項１または２に記載の光源一体型照明器具に用いる点灯装置。
【請求項５】
制御手段は、安全動作を開始後の異常始動回数が増加する毎に、光源異常検出手段が異常検出する閾値を変更し、正常の範囲を狭める設定を行うことを特徴とする請求項１乃至４のいずれか１項に記載の光源一体型照明器具に用いる点灯装置。
【請求項６】
制御手段は、安全動作を開始後の異常始動回数が増加する毎に、安全動作の開始から停止までの時間及び光源異常検出手段が異常検出する時間幅を狭める設定を行うことを特徴とする請求項１乃至５のいずれか１項に記載の光源一体型照明器具に用いる点灯装置。
【請求項７】
制御手段は、光源が正常点灯した場合には、少なくとも連続点灯回数に応じて記憶手段に記憶された異常始動回数をリセットするかまたは、光源異常検出手段が異常検出する閾値を初期化するように安全動作の制御を行うことを特徴とする請求項５に記載の光源一体型照明器具に用いる点灯装置。
【請求項８】
制御手段は、外部からの入力操作を受けて記憶手段の異常始動回数をリセットするように安全動作の制御を行うことを特徴とする請求項１乃至７のいずれか１項に記載の光源一体型照明器具に用いる点灯装置。
【請求項９】
請求項１乃至８のいずれか１項に記載の光源一体型照明器具に用いる点灯装置と；
この点灯装置により点灯される光源と；
点灯装置と光源とを一体に収容し、光源より射出される光を放出可能な異ケースとを具備することを特徴とする照明器具。
【発明の詳細な説明】
【技術分野】
【０００１】
この発明は、光源と一体化される点灯装置及び、この点灯装置を用いて構成される照明器具に関するものである。
【背景技術】
【０００２】
従来のこの種の照明器具としては、ランプ筐体内に、放電管とこの放電管の放電を行う点灯装置が一体に内蔵されたＩＨＤ反射ランプが知られている（特許文献１参照）。
【０００３】
上記の照明器具にあっては、放電管と点灯装置のいずれが故障した場合にも適切に寿命判別し、安全に寿命を迎え停止状態とする必要がある。点灯装置における寿命検出の手法としては点灯装置の使用時間を用いたものがあり、また特定部品の初期特性からの変位を検出して寿命とするものも知られている（特許文献２参照）。
【０００４】
しかしながら、使用時間による寿命検出は個体差が考慮されておらず、また、特定部品の初期特性からの変位を検出して寿命とする手法は、異常や事故の未然防止という観点からは有効であるが、温度等の周囲環境の変化などによる特性変位と峻別することが困難である。
【特許文献１】特表平１１−５０９６８０号公報
【特許文献２】特開２００６−２３６６６６号公報
【発明の開示】
【発明が解決しようとする課題】
【０００５】
本発明は、上記のような従来の光源と一体型とされる従来の点灯装置における問題点を解決せんとしてなされたもので、その目的は、光源と点灯装置が一体型とされたものにおいて、全体として適切に寿命判定を行って安全に確実に停止状態を実現させることが可能な点灯装置及び、この点灯装置を用いて構成される照明器具を提供することである。
【課題を解決するための手段】
【０００６】
本発明に係る光源一体型照明器具に用いる点灯装置は、交流電圧を整流及び平滑化する整流平滑回路と；整流平滑回路の出力を変換して光源を点灯させる点灯回路と；光源の異常を検出する光源異常検出手段と；光源異常検出手段が異常を検出したときに異常回数を記憶する記憶手段を有し、この記憶手段に記憶することで点灯回路の安全動作を開始すると共に、記憶手段に記憶された異常回数が所定値を超えた場合の安全動作として始動を行わせることなく、停止ロックさせる制御手段と
を具備することを特徴とする。
【０００７】
ここで、光源としては、ＨＩＤ（Hight Intensity Discharge）ランプ、蛍光ランプ、発光ダイオード（ＬＥＤ）などの固体発光素子を採用することができる。光源の異常を検出する場合、光源に印加される電圧、光源を流れる電流などに基づいて検出を行う。安全動作とは、異常始動回数の記憶、始動回数の制限または始動制御時間の制限など、異常が検出された後に安全性を確保するために機能する動作を指す。停止ロックとは、電源オフオンに拘わらず始動を行わないロック状態の全てを意味するが、整流平滑回路に電圧が印加されていない状態が好適である。
【０００８】
本発明に係る光源一体型照明器具に用いる点灯装置は、整流平滑回路と点灯回路の少なくとも一方には、過電流により短絡または開放となる回路素子が備えられ、制御手段は、上記回路素子に過電流を流す制御を行うことにより停止ロックを実行することを特徴とする。
【０００９】
回路素子にはヒューズやスイッチング素子を含む。回路素子にヒューズを採用する場合には、整流平滑回路のダイオードブリッジの前段に配置すると好適である。スイッチング素子の場合には、過電流により短絡となるように制御が行われる。
【００１０】
本発明に係る光源一体型照明器具に用いる点灯装置では、点灯回路には、光源を駆動する電力を得るためのスイッチング素子と、このスイッチング素子に共振電流を流す共振回路とが具備され、制御手段は、上記共振回路を共振駆動する制御を行うことにより停止ロックを実行することを特徴とする。
【００１１】
本発明に係る光源一体型照明器具に用いる点灯装置では、点灯回路の整流平滑回路には、平滑電圧制御のためのスイッチング素子または電力制御のためのスイッチング素子が備えられ、制御手段は、上記電力制御の際にスイッチング素子が破壊する程度にオンデューティを大きくする制御を行うことにより停止ロックを実行することを特徴とする。
【００１２】
本発明に係る光源一体型照明器具に用いる点灯装置では、制御手段は、安全動作を開始後の異常始動回数が増加する毎に、光源異常検出手段が異常検出する閾値を変更し、正常の範囲を狭める設定を行うことを特徴とする。
【００１３】
本発明に係る光源一体型照明器具に用いる点灯装置では、制御手段は、安全動作を開始後の異常始動回数が増加する毎に、安全動作の開始から停止までの時間及び光源異常検出手段が異常検出する時間幅を狭める設定を行うことを特徴とする。
【００１４】
本発明に係る光源一体型照明器具に用いる点灯装置では、制御手段は、光源が正常点灯した場合には、少なくとも連続点灯回数に応じて記憶手段に記憶された異常始動回数をリセットするかまたは、光源異常検出手段が異常検出する閾値を初期化するように安全動作の制御を行うことを特徴とする。
【００１５】
本発明に係る光源一体型照明器具に用いる点灯装置では、制御手段は、外部からの入力操作を受けて記憶手段の異常始動回数をリセットするように安全動作の制御を行うことを特徴とする。
【００１６】
本発明に係る光源一体型照明器具は、請求項１乃至７のいずれか１項に記載の光源一体型照明器具に用いる点灯装置と；この点灯装置により点灯される光源と；点灯装置と光源とを一体に収容し、光源より射出される光を放出可能な異ケースとを具備することを特徴とする。
【発明の効果】
【００１７】
本発明に係る光源一体型照明器具に用いる点灯装置によれば、光源の異常を検出する光源異常検出手段が異常を検出したときに異常回数を記憶する記憶手段を有し、この記憶手段に記憶することで点灯回路の安全動作を開始すると共に、記憶手段に記憶された異常回数が所定値を超えた場合の安全動作として始動を行わせることなく、停止ロックさせるので、光源の異常が所定回検出されて、光源が異常であることが確実である場合に、停止ロック状態となり、電源の再投入に拘らず動作しないので安全に停止状態を実現することができる。
【００１８】
本発明に係る光源一体型照明器具に用いる点灯装置によれば、整流平滑回路と点灯回路の少なくとも一方には、過電流により短絡または開放となる回路素子が備えられ、制御手段は、上記回路素子に過電流を流す制御を行うことにより停止ロックを実行するので、整流平滑回路と点灯回路の少なくとも一方の回路において短絡や開放となり、電源の再投入に拘らず動作しない状態とでき、安全に寿命による停止状態を実現することができる。
【００１９】
本発明に係る光源一体型照明器具に用いる点灯装置によれば、光源を駆動する電力を得るためのスイッチング素子と、このスイッチング素子に共振電流を流す共振回路とが具備され、制御手段は、上記共振回路を共振駆動する制御を行うことにより停止ロックを実行するので、共振電流によりスイッチング素子に大電流が流れて短絡状態となることが期待でき、これにヒューズを併用することにより、電源の再投入に拘らず動作しない状態とでき、安全に寿命による停止状態を実現することができる。
【００２０】
本発明に係る光源一体型照明器具に用いる点灯装置によれば、点灯回路の整流平滑回路には、平滑電圧制御のためのスイッチング素子または電力制御のためのスイッチング素子が備えられ、制御手段は、上記電力制御の際にスイッチング素子が破壊する程度にオンデューティを大きくする制御を行うことにより停止ロックを実行するので、オンデューティを大きくする制御によりスイッチング素子に大電流が流れて短絡状態となることが期待でき、これにヒューズを併用することにより、電源の再投入に拘らず動作しない状態とでき、安全に寿命による停止状態を実現することができる。
【００２１】
本発明に係る光源一体型照明器具に用いる点灯装置によれば、制御手段は、安全動作を開始後の異常始動回数が増加する毎に、光源異常検出手段が異常検出する閾値を変更し、正常の範囲を狭める設定を行うので、徐々に異常と素早く判断される方向へ閾値が遷移され、安全性を高めることになる。
【００２２】
本発明に係る光源一体型照明器具に用いる点灯装置によれば、制御手段は、安全動作を開始後の異常始動回数が増加する毎に、安全動作の開始から停止までの時間及び光源異常検出手段が異常検出する時間幅を狭める設定を行うので、安全動作や異常検出動作といえども点灯装置の動作時間を徐々に短縮させてゆき、異常である照明器具がむやみに動作し続けることによる危険を回避することができる。
【００２３】
本発明に係る光源一体型照明器具に用いる点灯装置によれば、制御手段は、光源が正常点灯した場合には、少なくとも連続点灯回数に応じて記憶手段に記憶された異常始動回数をリセットするかまたは、光源異常検出手段が異常検出する閾値を初期化するように安全動作の制御を行うので、一過性の或いは一時的な異常検出により異常とされて停止ロックへ移行させられることを適切に防ぐことができる。
【００２４】
本発明に係る光源一体型照明器具に用いる点灯装置によれば、制御手段は、外部からの入力操作を受けて記憶手段の異常始動回数をリセットするように安全動作の制御を行うので、誤検知により停止ロック状態となった場合に対応可能である。
【００２５】
本発明に係る光源一体型照明器具によれば、請求項１乃至７のいずれか１項に記載の点灯装置を用いているので、光源が異常であることが確実である場合に、停止ロック状態となり、電源の再投入に拘らず動作しないので安全に寿命による停止状態を実現することができるなど、前述の点灯装置により得られる各種の効果を得ることができる。
【発明を実施するための最良の形態】
【００２６】
以下、添付図面を参照して本発明に係る光源一体型照明器具の実施例と、これに用いる点灯装置の実施例を説明する。各図において、同一の構成要素には同一の符号を付し、重複する説明を省略する。
【００２７】
図１は本発明の実施形態に係る照明器具１の一部切欠断面図を示す。この図１では、切欠断面を縦断面により示す正面方向を示している。この図１に示すように、照明器具１はＰＢＴ（ポリブチレンテレフタレート）やポリカーボネート等の電気絶縁性を有する合成樹脂により肉厚が所定厚のほぼ円錐台状に形成されたケース２を具備している。
【００２８】
このケース２には、その縮径端部（図１では上端部）２ａの外周に所要の口金３を被せられ、かしめ等により固着されている。一方、ケース２の大径端部（図１では下端部）の投光開口端部２ｂ内に、透光性カバーとしての前面ガラス４が嵌合され、ケース２内をほぼ密閉する密閉形に構成されている。
【００２９】
ケース２は、その密閉空間の内部に、光源の一例であるＨＩＤランプ５と、このＨＩＤランプ５を点灯する点灯装置が搭載された回路基板６を収容しており、回路基板６は図示しないリード線を介して口金３の内面に電気的に接続されている。ＨＩＤランプ５は椀状の反射鏡５ａを具備しており、この反射鏡５ａの下部外周面は内向きフランジ状の支持壁２ｃの取付孔内に挿入されて径方向に支持されている。この支持壁２ｃはケース２の投光開口端部２ｂに一体に連成されている。
【００３０】
そして、投光開口端部２ｂは、その内周面に、反射鏡５ａの投光開口端部の外周縁部５ａ１と前面ガラス４の外周縁部４ａと、を嵌合させる嵌合部２ｂ１を具備している。この嵌合部２ｂ１の外周には、カバー保持部材の一例として樹脂製リング状で縦断面形状がほぼコ字状の保持リング７が着脱可能に嵌合され、投光開口端部２ｂをその内方へ締め付けることにより、この投光開口端部２ｂにより前面ガラス４を押圧または締め付け等によって保持している。
【００３１】
一方、縦断面形状がコ字状の保持部材としての保持リング７は、そのコ字状の図中上端部にケース２の投光開口端部２ｂの嵌合凹部に着脱可能に嵌合する上係止爪７ａを形成する一方、図中コ字状下端部には、反射鏡５ａの外周縁部５ａ１と前面ガラス４の外周縁部を挟持する下係止爪７ｂを形成し、これら上，下係止爪７ａ，７ｂを腹部７ｃを介して一体に連成することにより、形成されている。
【００３２】
そして、複数の上係止爪７ａは、例えば保持リング７の直径方向一端側と他端側とに分けてそれぞれ配設され、外れ易い複数の円弧状あごを有する上係止爪７ａが配設されている保持リング７の直径方向一端側が、ケース２内の圧力が所定圧以上に昇圧したときにケース２の投光開口端部２ｂの嵌合部から外れ、この投光開口端部２ｂと前面ガラス４の外周縁部４ａとの間に圧力逃がし用の間隙（図示せず）が形成されるようになっている。
【００３３】
そして、このように構成されたケース２の外側には、このケース２とほぼ同形状の円錐台状のアルミニウム等金属製の外周カバー８が密に被せられて固定される。これにより、外周カバー８の内面はケース２の外面に密着される。
【００３４】
外周カバー８は、その円錐台形状の小径端部（図１では上端部）の頂端（上端）は開口し、この開口端から上方へケース２の上端部２ａが突出している。この外周カバー８の開口上端は、口金３の図中下端とは若干離間しており、ケース２により電気的に絶縁されている。
【００３５】
一方、外周カバー８の円錐台状大径端部８ｂは、外側投光開口として開口され、その内面が、ケース２の開口端部２ｂ外周面と保持リング７の外周面とに密着した状態で被覆している。また、この外周カバー８は、その外側開口端部８ｂの全周をその内側へ屈曲することにより、前面ガラス４の外周縁部外面を支持する支持部８ｃを一体に連成している。
【００３６】
そして、外周カバー８は、ＨＩＤランプ５に近いランプ軸近傍かつ外側開口端部８ｂ近傍にて、外周カバー８の内外を連通させる通気孔８ｄを１以上形成している。すなわち、この照明器具１は図示しないビームランプ用照明器具に取り付けられるときは、その照明器具のパッキンが外周カバー８の軸方向ほぼ中間部まで位置し、ここよりも図１中上方部は照明器具内に収容されてしまうので、そのパッキンよりも図１中下方、すなわち、照明器具から外気へ露出される部分に通気孔８ｄを穿設している。
【００３７】
回路基板６に実装されている点灯装置の構成を、図２に示す。点灯装置は、整流平滑回路１０、点灯回路２０、光源異常検出手段の一部を構成するランプ電圧検知部４１、電源検出回路４２、整流平滑ドライバ４３、点灯回路ドライバ４４、マイコン５０を備えている。
【００３８】
整流平滑回路１０には、交流電源４５がヒューズ４６を介して接続されている。点灯回路２０はＨＩＤランプ５に接続され、ＨＩＤランプ５の点灯を行う。マイコン５０の電源は、交流電源４５に接続された図示せぬ電源回路から供給される。
【００３９】
整流平滑回路１０及び点灯回路２０の一例を図３に示す。交流電源４５の交流をダイオードブリッジ１１が整流して直流電流とし、低圧側ラインＬ１と高圧側ラインＬ２に電圧を出力する構成となっている。高圧側ラインＬ２にはコイル１２及びダイオード１３が直列接続され直流成分が、低圧側ラインＬ１と高圧側ラインＬ２間に接続されたコンデンサ１５に供給される。
【００４０】
コイル１２とダイオード１３におけるアノードとの接続点と、低圧側ラインＬ１との間には、トランジスタ１４が接続され、ダイオードブリッジ１１より図の右側は、昇圧チョッパ回路１６を構成する。トランジスタ１４のベースは、整流平滑ドライバ４３に接続され、所要のオンオフ制御によりコンデンサ１５に４２０Ｖの電圧が蓄積される構成となっている。
【００４１】
トランジスタ２１、ダイオード２２、コイル２３及びコンデンサ２４により降圧チョッパ回路１７が構成されている。トランジスタ２１のベースは、点灯回路ドライバ４４に接続されており、所要のオンオフ制御がされ、コンデンサ２４の両端に３００Ｖの電圧が発生される。
【００４２】
ＦＥＴ３１〜３４は、ブリッジ状に接続されたインバータ回路を構成し、ＦＥＴ３１、３２が対として駆動され、ＦＥＴ３３、３４が対として駆動される。上記ブリッジの中央であって、ＦＥＴ３１、３２の間及びＦＥＴ３３、３４の間にＨＩＤランプ５が接続される。ＦＥＴ３１〜３４のゲートは点灯回路ドライバ４４に接続されており、高周波数にてオンオフ制御され、始動時には２〜３ＫＶが重畳した上記３００Ｖのパルス電圧がＨＩＤランプ５に印加される構成とされている。
【００４３】
上記始動制御によりＨＩＤランプ５が放電を開始して、点灯が始まるとＨＩＤランプ５の内部インピーダンスが低下し、通常点灯制御へと移行する。通常点灯制御では、始動時の２〜３ＫＶの電圧は重畳されず、点灯当初においてＨＩＤランプ５のランプ電圧は２０〜３０Ｖであり、これが徐々に上昇して１００Ｖ程度となる。
【００４４】
ＨＩＤランプ５のランプ電圧はランプ電圧検知部４１を介してマイコン５０が監視するものであり、これにより光源異常検出手段が構成されている。即ち、マイコン５０は光源異常検出手段として、始動時のＨＩＤランプ５のランプ電圧変化を検出して、始動制御から通常点灯制御への移行を行う他、始動時の所定時間に点灯へ移行しない場合（ランプ電圧が３００Ｖから２０〜３０Ｖに移行しない場合）にランプ異常（光源異常）と判定する。また、マイコン５０は、通常点灯制御となったときにＨＩＤランプ５のランプ電圧変化を検出して、定格電圧（例えば１００Ｖ）より第１の閾値（例えば、５０Ｖ）以上の高電圧となる寿命末期や、定格電圧より第２の閾値（６０Ｖ）以下の低電圧となるリーク状態を検出し、ランプ異常と判定する。ここで、リーク状態を検出するための第２の閾値は、リークという故障要因による異常を的確に捕らえ得る値となっている。
【００４５】
マイコン５０は、記憶手段であるメモリ５１を備えており、ランプ異常を検出した場合に、メモリ５１に異常回数を記憶する。メモリ５１に異常回数が記憶された以降の始動に際して点灯回路２０による安全動作による始動を行わせると共に、メモリ５１に記憶された異常回数が所定値を超えた場合に安全動作による始動を行わせることなく、当該点灯装置を停止ロックさせる。
【００４６】
電源検出回路４２は、交流電源４５によって供給される交流電圧のピーク値と平均値とを検出する回路であり、検出されたピーク値と平均値はマイコン５０へ送られる。マイコン５０は、交流電源４５によって供給される交流電圧のピーク値と平均値に関する標準値と閾値を有しており、上記電源検出回路４２から送られたピーク値と平均値について標準値との差分が上記閾値を超えている場合には、当該点灯装置を停止ロックさせる。
【００４７】
以上のように構成された点灯装置のマイコン５０は、図４に示すフローチャートに従って動作を行うので、図４に従って動作説明を行う。
【００４８】
電源が投入されるとスタートとなり、電源検出回路４２により取り込んだ交流電圧のピーク値と平均値とを用いて標準値との差分が閾値を超えたかを検査し（Ｓ１１）、交流電源４５が正常であるか判定する（Ｓ１２）。つまり、交流電源４５が通常の商用交流であれば、電圧波形は図５（ａ）に示されるように完全な正弦波であり、ピークが１４１Ｖかつ平均値が（２／π）Ｖの標準値となるが、調光制御された交流電源の場合には図５（ｂ）に示されるように正弦波の一部が欠けるなどするため、ピークが１４１Ｖであっても平均値が（２／π）Ｖより小さい異常な電源に接続されたことが検出される。このステップＳ１２において、異常な電源に接続されたことが検出された場合には、後述するようにして停止ロックさせる（Ｓ２３）。
【００４９】
また、ステップＳ１２において、交流電源４５が正常であると判定されると、メモリ５１から異常回数を読み出し（Ｓ１３）、記憶された異常回数がゼロであるかを検出する（Ｓ１４）。このステップＳ１４において異常回数がゼロであると判定されると、整流平滑ドライバ４３と点灯回路ドライバ４４を制御して前述の通りに通常始動を行い（Ｓ１５）、ランプ電圧検知部４１により検知されたランプ電圧により正常点灯したかを検出する（Ｓ１６）。
【００５０】
ステップＳ１６において正常点灯したことが検出されると、所定時間経過を待って（Ｓ１７）、ランプ電圧検知部４１により検知されたランプ電圧によりランプ電圧が正常であるかを検出する（Ｓ１８）。つまり、このステップＳ１８においては、ＨＩＤランプ５が寿命末期において定格電圧より第１の閾値以上高圧となったか、または、ＨＩＤランプ５において内部ガスのリークが生じて定格電圧より第２の閾値以下低圧となったかを検出するのである。
【００５１】
ステップＳ１８において正常であることが検出されると、電源検出回路４２により取り込んだ交流電圧のピーク値と平均値とを用いて標準値との差分が閾値を超えたかを検査し（Ｓ２４）、交流電源４５が正常であるか判定する（Ｓ２５）。このステップＳ２５において、異常な電源に接続されたことが検出された場合には、後述するようにして停止ロックさせ（Ｓ２３）、正常な電源に接続されたことが検出された場合には、ステップＳ１７へ戻って処理を続ける。
【００５２】
ステップＳ１８においてランプ異常が検出されると、整流平滑ドライバ４３と点灯回路ドライバ４４を制御して点灯を一定時間一時停止する制御を行うと共に、メモリ５１の異常回数を１インクリメントして（Ｓ１９）、検出時間間隔や閾値を更新し（Ｓ１９Ａ）、ステップＳ１１へ戻って処理続ける。
【００５３】
このステップＳ１９Ａは、異常検出する閾値を変更し、正常の範囲を狭める設定を行うこと、また、安全動作の開始から停止までの時間及び異常検出する時間幅を狭める設定を行うステップである。つまり、ステップＳ１７の時間幅やステップＳ１９の一定時間一時停止する時間や後に説明する安全動作による始動の時間が狭められ、ステップＳ１６、Ｓ１８において用いる閾値の変更により正常の範囲が狭められる。
【００５４】
この結果、ＨＩＤランプ５が寿命末期やリーク発生の状態のままで長らく動作することによる予期しない事故を防止し、ＨＩＤランプ５が劣化した場合に短時間で安全に停止ロック状態へ移行させることができる。この閾値の更新においても、リーク状態を検出するための第２の閾値の更新幅を、寿命末期検出の第１の閾値の更新幅より大きくし、感度を上げるようにしても良い。これにより、寿命末期という個体差のある基準よりリークという確実な故障要因による異常を的確に捕らえて安全動作に移行させることができる。
【００５５】
ステップＳ１４において、異常回数が１以上であることが検出された場合には、その異常回数が所定回数を超えたか判定し（Ｓ２０）、超えていない場合には、安全動作により始動を行う（Ｓ２１）。この安全動作による始動では、マイコン５０が整流平滑ドライバ４３と点灯回路ドライバ４４を制御して通常始動（Ｓ１５）を行う場合と同じ電圧を発生させて始動制御するが、始動制御時間を通常始動（Ｓ１５）よりも短くする。この時間設定は既にステップＳ１９Ａにおいて説明した通り、安全動作による始動の回数が増加するほど短縮されるものである。この安全動作による始動制御時間の経過後には、ステップＳ１６へ進んで処理を行う。
【００５６】
更に、ステップＳ２０において、異常回数が所定回数を超えたことが検出された場合、或いは、ステップＳ１２やステップＳ２５において、電源異常が検出された場合には、安全動作による始動を行わせることなく、停止ロックさせる（Ｓ２３）。具体的は、整流平滑ドライバ４３や点灯回路ドライバ４４を制御して、電力制御のためのスイッチング素子であるトランジスタ１４に対し、電力制御の際にトランジスタ１４が破壊する程度にオンデューティを大きくする制御を行う。
【００５７】
つまり、トランジスタ１４のコレクタ電圧をＶとして、ベースに与える制御電圧によりトランジスタ１４がオンとなり、コレクタ電圧が０となる期間であるオンデューティが図６（ａ）に示すように通常で２０〜３０％程度であるところ、停止ロックさせるステップＳ２３においては、図６（ｂ）に示すように７０〜８０％程度に大きくする。これにより、トランジスタ１４を流れる電流Ｉが図６（ａ）、（ｂ）に示される通り、オンデューティを大きくしたときに大きくなり、過大な電流が流れてトランジスタ１４が破壊され、短絡状態が現出する。これによりヒューズ４６に過大電流が流れてヒューズ４６が溶断して、ダイオードブリッジ以降への電源供給が停止する停止ロック状態とされる。
【００５８】
なお、上記の実施例では行わなかったが、図７に示すようにステップＳ１６とステップＳ１７の間に、ステップＳ３１を介在させ、このステップＳ３１において連続点灯回数をカウントし、連続点灯回数が所定数となることに応じてメモリ５１に記憶された異常回数をリセットすると共に、異常検出する閾値（ステップＳ１９Ａにおいて更新する閾値）を初期化するようにしても良い。
【００５９】
次に、点灯回路２０において停止ロック状態を実現するための回路構成を図８に示す。この回路は、図３の結節点ＰＰより右の回路構成に代えて採用される。ブリッジ構成されたＦＥＴ３１〜３４のブリッジ中央に接続されたＨＩＤランプ５に直列に降圧チョッパのコイル２３を接続し、ＨＩＤランプ５に並列に降圧チョッパのコンデンサ２４を接続する。ＦＥＴ３１、３４の接続点と、ＨＩＤランプ５の電極間にコイル３７を接続し、コイル３７とＨＩＤランプ５の接続点と低圧側ラインＬ１間にコンデンサ３８を接続する。このコイル３７とコンデンサ３８によりＬＣ共振回路３６を構成する。
【００６０】
上記回路においては、マイコン５０と点灯回路ドライバ４４の制御下で、ＦＥＴ３３、３２が図３におけるトランジスタ２１の機能を有し、降圧チョッパ回路としての動作が行われると共に、ＦＥＴ３１〜３４によるインバータ回路としての動作が行われる。
【００６１】
また、図４に示すフローチャートにおいて、停止ロックさせるステップＳ２３では、マイコン５０から点灯回路ドライバ４４への制御により、ＦＥＴ３１、３４のオンオフ周期を上記ＬＣ共振回路３６の共振周波数に近付けることにより、大電流がＦＥＴ３１、３４に流れるようになり、ＦＥＴ３１、３４が破壊して短絡状態が現出する。これによりＦＥＴ３１、３４の短絡経路を介してヒューズ４６に過大電流が流れてヒューズ４６が溶断して、ダイオードブリッジ１１以降への電源供給が停止する停止ロック状態とされる。
【００６２】
以上の通り、停止ロック状態となると、マイコン５０は停止ロック実行済みのログをメモリ５１に書き込み、その後の電源オンオフに拘らず、マイコン５０自体がランプ始動制御を行うことはない。
【００６３】
上記実施例では、回路の素子破壊を伴った停止ロック状態としたが、マイコン５０のみが前述の停止ロック状態へ移行する構成を採用しても良い。即ち、ステップＳ２３においては、停止ロック実行済みのログをメモリ５１に書き込むだけで、前述のように大電流を流すことはせずに休眠状態となる。この場合に、誤検知により停止ロック状態となった場合を考慮して、復旧モードを備える。復旧モードへの移行は、例えば通常の交流電源４５に代えて特殊な電源（例えば２４Ｖの直流電源）を用いたり、パルス信号を電源に重畳させるなどの外部からの入力操作を行うことにより実現させる。
【００６４】
例えば、４０Ｖの交流電圧を発生させる電源に当該照明器具を接続する。すると、マイコン５０が停止ロック状態であるが、平滑回路の出力が４２０Ｖではなく、２００Ｖ程度になり、これが電圧検知部により検出される。この所定電圧を、電圧検知部からの入力により検出すると、マイコン５０は、メモリ５１の停止ロック実行済みのログをリセットし、図４に示したフローチャートの動作を開始可能とする。そこで、４０Ｖの交流電圧を発生させる電源に代えて１００Ｖの商用交流電源へ照明器具を接続すると、図４に示したフローチャートの動作を行う。
【００６５】
本発明の回路基板６は、図９と図１０に示すように２枚であり、第１の回路基板６−１には電源等の入力部、チョッパ回路が実装されている。第２の回路基板６−２にはマイコン５０やＯＰアンプやコントローラにより構成される整流平滑ドライバ４３、点灯回路ドライバ４４など、更にはインバータ回路を含む点灯回路２０が実装されている。第１の回路基板６−１と第２の回路基板６−２の所要回路は、ジャンパ線６１により接続される。ジャンパ線６１は基板対基板端子に変更することができる。
【００６６】
そして、第２の回路基板６−２において、ＯＰアンプとコントローラは近接して実装され、ノイズがＯＰアンプとコントローラ間の信号に重畳しない構成を採用している。具体的には、第２の回路基板６−２の一方の面における例えば、エリア６２にＯＰアンプを実装し、第２の回路基板６−２においてのＯＰアンプが実装された面の裏面であって、エリア６２に対応するエリア６３にコントローラが実装される。これにより、基板による構成の小型化とノイズによる誤動作を防止することが可能である。
【００６７】
また、インバータ回路についても第２の回路基板６−２一枚に実装することで、チョッパ回路として電圧フリー化した場合にも第１の回路基板６−１の実装部品が多くなることなく、高さが高くなる不具合を防止できる。またインバータ回路による高周波発生部分の配線を短くしパターンを短くし、ノイズの影響を低減させている。また、ジャンパ線などの接続ラインに高電圧や大電流を流すことがなく、安定安全な回路動作が確保される。
【００６８】
更に図１０に示すように、樹脂製のケース２の内壁面２ｉには、第１の回路基板６−１と第２の回路基板６−２を仕切るように仕切板６６が樹脂製のケース２と一体に形成されている。これにより第１の回路基板６−１と第２の回路基板６−２が熱的電気的に遮断されると共に、仕切板６６が放熱板絶縁物として作用し、温度上昇の防止、また難燃化や電気的短絡防止を実現することができる。
【図面の簡単な説明】
【００６９】
【図１】本発明に係る照明器具における一実施例の一部破断断面を示す正面図。
【図２】本発明に係る点灯装置における一実施例のブロック図。
【図３】本発明に係る点灯装置における一実施例の回路図。
【図４】本発明に係る点灯装置における一実施例の動作を説明するためのフローチャート。
【図５】本発明に係る点灯装置における一実施例が接続される二種の電源による動作を説明するための波形図。
【図６】本発明に係る点灯装置における一実施例により行われる停止ロック動作を説明するための波形図。
【図７】本発明に係る点灯装置における一実施例の動作を説明するためのフローチャート。
【図８】本発明に係る点灯装置における他の実施例の要部を示す回路図。
【図９】本発明に係る点灯装置が実装される回路基板の平面図。
【図１０】本発明に係る照明器具における一実施例の一部を省略した断断面。
【符号の説明】
【００７０】
１  照明器具
２  ケース
５  ランプ
６  回路基板
１０  整流平滑回路
２０  点灯回路
４１  ランプ電圧検知部
４２  電源検出回路
４３  整流平滑ドライバ
４４  点灯回路ドライバ
【図１】
2010010004.tif 000003
【図２】
2010010004.tif 000004
【図３】
2010010004.tif 000005
【図４】
2010010004.tif 000006
【図５】
2010010004.tif 000007
【図６】
2010010004.tif 000008
【図７】
2010010004.tif 000009
【図８】
2010010004.tif 000010
【図９】
2010010004.tif 000011
【図１０】
2010010004.tif 000012